(57)【特許請求の範囲】
【請求項１】
設置対象物に設けられたケーブル引き出し部の全体又は一部を覆わない状態で、前記設置対象物に固定可能な取り付け部材と、
前記ケーブル引き出し部から延在するケーブルが接続される接続部が設けられた背面部及び、前記背面部に対向する前面部、を有する筐体と、
を備え、
前記背面部は、前記ケーブル引き出し部を覆った状態で、前記取り付け部材に設けられた被係止部に係止可能な背面係止部を有し、前記前面部は、前記ケーブル引き出し部の全体または一部を覆わない状態で、前記被係止部に係止可能な前面係止部を有する、
電気機器。
【請求項２】
前記背面係止部から前記背面部の下端部までの上下方向の距離は、前記前面係止部から前記前面部の下端部までの上下方向の距離よりも、前記ケーブルの径以上に大きい、
請求項１に記載の電気機器。
【請求項３】
前記取り付け部材には、前記ケーブル引き出し部を覆わないで露出させ、前記ケーブルを挿通させるための開口部を有する、
請求項１又は２に記載の電気機器。
【請求項４】
前記被係止部は、フック状に形成され、
前記背面係止部及び前記前面係止部は、前記被係止部が引っ掛け可能な孔の形状に形成された、
請求項１から３の何れか１項に記載の電気機器。
【請求項５】
前記設置対象物は、壁を有し、
前記ケーブル引き出し部は、前記壁に形成され、前記ケーブルが挿通された貫通孔で構成された、
請求項１から４の何れか１項に記載の電気機器。
【請求項６】
前記前面部は、前記背面部が前記ケーブル引き出し部を覆い、かつ前記背面係止部が前記被係止部に係止された状態で、前記前面係止部を被覆することが可能な被覆板を有する、
請求項１から５の何れか１項に記載の電気機器。
【請求項７】
前記筐体は、前記背面部が前記ケーブル引き出し部を覆い、かつ前記背面係止部が前記被係止部に係止された状態で、前記前面部を覆うことが可能なカバーを有する、
請求項１から６の何れか１項に記載の電気機器。
【発明の詳細な説明】
【技術分野】
【０００１】
本発明は電気機器に関する。
【背景技術】
【０００２】
空気調和機、給湯器等のコントローラには、他の電気機器から延在するケーブルと接続される接続端子が筐体の背面側に設けられ、その背面側を設置対象物に向けて固定されるものがある。【０００３】
このようなコントローラでは、接続端子が背面側にあるため、ケーブルの接続作業が容易でない。そこで、接続端子に容易にケーブルを接続するための方法が開発されている。【０００４】
例えば、特許文献１には、筐体の背面側に接続端子が設けられたインターフォン親機を、筐体の背面側を建築物の壁に向けた状態で、建築物の壁に取り付ける方法が開示されている。【０００５】
特許文献１に記載の方法では、筐体の側端部に形成された支持孔に挿入され、蝶番として機能する円柱部を有する取り付け部材が用いられる。この方法では、取り付け部材の円柱部を、支持孔に挿入する。次に、円柱部の軸を中心に筐体を回転させ、筐体の背面側を壁と反対側へ向けた状態にしてケーブルを接続端子に接続する。接続端子にケーブルを接続した後、円柱部の軸を中心に筐体を逆方に回転させ、筐体の背面側を壁へ向けた状態にして筐体を取り付け部材に固定する。
【先行技術文献】
【特許文献】
【０００６】
【特許文献１】特開２０００−２８６９８５号公報
【発明の概要】
【発明が解決しようとする課題】
【０００７】
特許文献１に記載の方法では、筐体を取り付け部材に固定するまで、筐体が円柱部の軸を中心に回転可能である。このため、接続端子にケーブルを接続するとき、円柱部の軸を中心に回転しないよう筐体を保持する必要がある。【０００８】
支持孔と円柱部とを蝶番として使用するため、構造が複雑である。また、支持孔に大きな負荷がかかるので、筐体が破損する可能性がある。【０００９】
本発明は上記の課題を解決するためになされたもので、筐体を設置対象に固定した状態で、背面部に設けられた接続部とケーブルとを容易に接続することができる電気機器を提供することを目的とする。
【課題を解決するための手段】
【００１０】
上記の目的を達成するため、本発明に係る電気機器は、設置対象物に設けられたケーブル引き出し部の全体又は一部を覆わない状態で、設置対象物に固定可能な取り付け部材と、ケーブル引き出し部から延在するケーブルが接続される接続部が設けられた背面部及び、背面部に対向する前面部、を有する筐体と、を備える。背面部は、ケーブル引き出し部を覆った状態で、取り付け部材に設けられた被係止部に係止可能な背面係止部を有する。そして、前面部は、ケーブル引き出し部の全体または一部を覆わない状態で、被係止部に係止可能な前面係止部を有する。
【発明の効果】
【００１１】
本発明の構成によれば、接続部とケーブルとを接続するときに、前面部に設けられた前面係止部を、設置対象物に固定された取り付け部材の被係止部に係止させて、筐体を設置対象物に固定することができる。このため、ケーブルの接続作業で筐体を保持する必要がない。また、背面部を設置対象物と反対側に向くため、接続部とケーブルとを容易に接続することができる。
【図面の簡単な説明】
【００１２】
【図１】本発明の実施の形態１に係るコントローラの筐体の正面側斜視図
【図２】図１に示す筐体の背面側斜視図
【図３】実施の形態１に係るコントローラの取り付け部材の正面側斜視図
【図４】実施の形態１に係る取り付け部材の４つの被係止部のうちの１つの拡大斜視図
【図５】実施の形態１に係るコントローラの取り付け部材を壁に取り付けるときの位置関係を示す斜視図
【図６】実施の形態１に係るコントローラの取り付け部材の被係止部に筐体の前面係止孔が係止したときのコントローラの正面側斜視図
【図７】実施の形態１に係るコントローラの取り付け部材の被係止部に筐体の背面係止孔が係止したときのコントローラの正面側斜視図
【図８】本発明の実施の形態２に係るコントローラの正面側斜視図
【図９】本発明の実施の形態３に係るコントローラの部品構成図
【図１０】本発明に係るコントローラの筐体の変形例の正面側斜視図
【図１１】本発明に係るコントローラの筐体の変形例の背面側斜視図
【図１２】本発明に係るコントローラの取り付け部材の変形例の正面側斜視図
【図１３】本発明に係るコントローラの取り付け部材の変形例と壁の変形例の位置関係を示す斜視図
【発明を実施するための形態】
【００１３】
以下、本発明の実施の形態に係る電気機器について図面を参照して詳細に説明する。なお、図中、同一又は同等の部分には同一の符号を付す。
【００１４】
（実施の形態１）
実施の形態１に係る電気機器は、空気調和機を操作するための壁掛け型のコントローラである。このコントローラは、仮固定工程で、筐体の背面部を壁と反対に向けて背面部に設けられた接続端子とケーブルとを接続し、その後の本固定工程で、背面部を壁に向けて壁に固定される。なお、図に示す直交座標系ＸＹＺにおいて、コントローラに対して壁と反対側を、正面側とした場合の、左右方向がＸ軸方向、上下方向がＺ軸方向、Ｘ軸とＺ軸とに直交する方向がＹ軸方向である。以下、適宜、この座標系を引用して説明する。
【００１５】
図１は本発明の実施の形態１に係るコントローラの筐体の正面側斜視図である。図２は、図１に示す筐体の背面側斜視図である。図３は実施の形態１に係るコントローラの取り付け部材の正面側斜視図である。図４は実施の形態１に係る取り付け部材の４つの被係止部のうちの１つの拡大斜視図である。なお、図３では、理解を容易にするため、取り付け部材を固定するネジは省略している。
図１及び図２に示すように、コントローラ１は直方体状の筐体１００を備えている。また、コントローラ１は、図３に示すように、壁５００に固定される金属板で形成された取り付け部材２００を備えている。
【００１６】
筐体１００は、液晶ディスプレイ７０、空気調和機を制御するための図示しない電気回路等を収容する。筐体１００は、図１に示すように、前面部１０と、前面部１０の＋Ｘ端、−Ｘ端に設けられる側面部２０、３０と、前面部１０の＋Ｚ端、−Ｚ端に設けられる上面部４０、底面部５０と、前面部１０と＋Ｙ側で対向する背面部６０と、で構成されている。
【００１７】
前面部１０には、液晶ディスプレイ７０が配設される開口部１１と、後述する仮固定工程で使用される前面係止孔１２Ａ−１２Ｄと、が形成されている。
【００１８】
前面係止孔１２Ａ−１２Ｄは、取り付け部材２００の後述する被係止部２０２Ａ−２０２Ｄに係止可能にするため、長手方向がＺ方向に延在する矩形状の開口を有する形状に形成されている。そして、前面係止孔１２Ａ−１２Ｄは、その矩形の形状のまま前面部１０を貫通している。
【００１９】
４つの前面係止孔１２Ａ−１２Ｄは、後述する４つの被係止部２０２Ａ−２０２Ｄに係止できるように配設されている。詳細には、前面係止孔１２Ａ−１２Ｄは、これら孔の中心が矩形Ｒの頂点を形成する位置に配設されている。ここで、前面係止孔１２Ａと１２Ｂの孔の中心は、１２Ｃと１２Ｄの孔の中心の＋Ｘ側、前面係止孔１２Ａと１２Ｃの孔の中心は、１２Ｂと１２Ｄの孔の中心よりも−Ｚ側である。また、矩形Ｒは、長手方向がＸ方向、短手方向がＺ方向を向いている。
【００２０】
一方、背面部６０には、図２に示すように、接続端子８０が配設された凹部６１と、後述する本固定で使用される背面係止孔６２Ａ−６２Ｄと、が形成されている。
【００２１】
凹部６１は、接続端子８０を収容可能な形状に形成されている。
【００２２】
背面係止孔６２Ａ−６２Ｄは、前面係止孔１２Ａ−１２Ｄと同じ形状及び大きさに形成されている。背面係止孔６２Ａ−６２Ｄは背面部６０を貫通している。
【００２３】
背面係止孔６２Ａ−６２Ｄ間での位置関係は、前面係止孔１２Ａ−１２Ｄ間での位置関係と同じである。すなわち、背面係止孔６２Ａ−６２Ｄは、これら孔の中心が矩形Ｒの頂点を形成する位置に配設されている。背面係止孔６２Ａと６２Ｂの孔の中心は、６２Ｃと６２Ｄの孔の中心の＋Ｘ側、前面係止孔６２Ａと６２Ｃの孔の中心は、６２Ｂと６２Ｄの孔の中心よりも−Ｚ側である。なお、図２に示す矩形Ｒは、図１に示す矩形Ｒと同じ形状、大きさである。
【００２４】
背面係止孔６２Ａ−６２Ｄは、仮固定工程と本固定工程とで筐体１００を異なる位置に固定するため、Ｚ方向にずれて配設されている。詳細には、背面係止孔６２Ａ−６２Ｄは、前面係止孔１２Ａ−１２Ｄよりも＋Ｚ側に距離Ｌ１だけずれている。距離Ｌ１は、後述する仮工程で取り付け部材２００の開口部からケーブルを取り出せるよう、少なくともケーブル径よりも大きい。
【００２５】
取り付け部材２００は、図３に示すように、Ｘ方向の幅が矩形ＲのＸ方向の幅と同じ矩形状に形成されている。そして、取り付け部材２００には、ケーブルを挿通させるための開口部２０１と、筐体１００の前面係止孔１２Ａ−１２Ｄ及び、背面係止孔６２Ａ−６２Ｄが係止可能な被係止部２０２Ａ−２０２Ｄと、ネジを挿通させるネジ孔２０３Ａ−２０３Ｅと、が形成されている。
【００２６】
開口部２０１は、取り付け部材２００の−Ｚ側の領域に形成されている。また、開口部２０１は、ケーブルが挿通可能な矩形状に形成されている。これにより、開口部２０１は、壁５００に形成された貫通孔からケーブルが引き出される場合に、そのケーブルが挿通されてケーブル引き出し口として機能する。
【００２７】
被係止部２０２Ａ−２０２Ｄは、図３及び図４に示すように、先端が＋Ｚ方向へ向いたフック状に形成されている。被係止部２０２Ａ−２０２ＤのＺ方向の長さは、前面係止孔１２Ａ−１２Ｄ及び背面係止孔６２Ａ−６２ＤのＺ方向の長さよりも短く、Ｘ方向の幅は、前面係止孔１２Ａ−１２Ｄ及び背面係止孔６２Ａ−６２ＤのＸ方向の幅よりも小さい。被係止部２０２Ａ−２０２Ｄは、前面係止孔１２Ａ−１２Ｄ及び背面係止孔６２Ａ−６２Ｄに挿入可能、かつ前面係止孔１２Ａ−１２Ｄ及び背面係止孔６２Ａ−６２Ｄの内壁が係止可能である。
【００２８】
仮固定工程で被係止部２０２Ａ−２０２Ｄが前面係止孔１２Ａ−１２Ｄの全てに係止でき、かつ本固定工程で背面係止孔６２Ａ−６２Ｄの全てに係止できるようにするため、被係止部２０２Ａ−２０２Ｄの先端は、図３に示すように、矩形Ｒの頂点の位置に配設されている。被係止部２０２Ａと２０２Ｂが−Ｘ側、被係止部２０２Ａと２０２Ｃは、２０２Ｂと２０２Ｄの−Ｚ側である。なお、図３に示す矩形Ｒは、図１及び図２に示す矩形Ｒと同じ形状、大きさである。
【００２９】
また、被係止部２０２Ａと２０２Ｃのフックの末端は、後述する仮固定工程で開口部２０１が前面部１０に覆われないようにするため、開口部２０１の−Ｚ端から距離Ｌ２だけ離れている。ここで、距離Ｌ２は、図１に示す、前面係止孔１２Ａ、１２Ｃの＋Ｚ端から前面部１０の−Ｚ端までの距離Ｌ３よりも少なくともケーブル径だけ大きい。また、距離Ｌ２は、後述する本固定工程で開口部２０１が背面部６０で覆われるようにするため、図２に示す、背面係止孔６２Ａ、６２Ｃの＋Ｚ端から背面部６０の−Ｚ端までの距離Ｌ４よりも小さい。なお、被係止部２０２Ａと２０２Ｃのフックの末端は、前面係止孔１２Ａ−１２Ｄ又は背面係止孔６２Ａ−６２Ｄが係止した場合に、孔の内壁に当接して筐体１００を支持する部分である。
【００３０】
ネジ孔２０３Ａ−２０３Ｅは、図示しないネジが挿入可能な長孔に形成されている。取り付け部材２００を壁５００に対して位置調整できるように、ネジ孔２０３Ａと２０３Ｃは、長手方向がＺ方向に、ネジ孔２０３Ｂ−２０３Ｄは、長手方向がＸ方向に向いている。
【００３１】
次に、図５−図７を参照して、コントローラ１の壁５００への取り付け方法について、説明する。以下の説明では、壁５００の＋Ｙ側に空気調和機に接続されるケーブルが配線されている状態において、壁５００に形成された貫通孔から、そのケーブルの端部が壁５００の−Ｙ側へ引き出されていることを前提とする。貫通孔は、取り付け部材２００の開口部２０１とＸ方向、Ｚ方向の大きさが同じである。
【００３２】
図５は取り付け部材を壁に取り付けるときの位置関係を示す斜視図である。図６は取り付け部材の被係止部に筐体の前面係止孔が係止したときのコントローラの正面側斜視図である。図７は取り付け部材の被係止部に筐体の背面係止孔が係止したときのコントローラの正面側斜視図である。
【００３３】
まず、図５に示す、壁５００の貫通孔５０１から引き出されたケーブル６００の末端を取り付け部材２００の開口部２０１に通す。次に、その状態で、開口部２０１が壁５００の貫通孔５０１の開口となるように、取り付け部材２００を配置する。さらに、取り付け部材２００を壁５００に当接させ、ネジをネジ孔２０３Ａ−２０３Ｅそれぞれに挿入して、それらのネジで取り付け部材２００を壁５００に固定する。そして、ケーブル６００の末端を開口部２０１から引き出した状態にする。
【００３４】
次に、筐体１００の前面部１０を＋Ｙ側に向けた状態にし、前面係止孔１２Ａ−１２Ｄを被係止部２０２Ａ−２０２Ｄに係止させる。これにより、筐体１００が取り付け部材２００に仮固定される。この工程が仮固定工程である。
【００３５】
筐体１００が取り付け部材２００に仮固定されると、図６に示すように、筐体１００の背面部６０が−Ｙ側に向く。また、接続端子８０も筐体１００の−Ｙ側に位置する。上述したように、図３に示す距離Ｌ２が図１に示す距離Ｌ３よりも大きいため、筐体１００は、開口部２０１の一部しか覆わず、筐体１００の−Ｚ側に開口部２０１の、その他の部分が露出する。
【００３６】
次に、露出した開口部２０１から引き出されたケーブル６００の末端を、接続端子８０に接続する。
【００３７】
ケーブル６００の末端を接続端子８０に接続した後、前面係止孔１２Ａ−１２Ｄを被係止部２０２Ａ−２０２Ｄから外し、筐体１００を反転させて−Ｙ側に向いた背面部６０を＋Ｙ側へ向ける。続いて、背面係止孔６２Ａ−６２Ｄを被係止部２０２Ａ−２０２Ｄに係止させる。これにより、図７に示すように、筐体１００の背面部６０が−Ｙ側に向いた状態で、筐体１００が壁５００に本固定される。この工程が本固定工程である。
【００３８】
本固定工程で筐体１００が壁５００に固定されると、図３に示す距離Ｌ２が図２に示す距離Ｌ４よりも小さいため、開口部２０１の全体が筐体１００によって覆われる。
【００３９】
以上のように、実施の形態１に係るコントローラ１は、筐体１００から開口部２０１の一部を露出させた状態で、被係止部２０２Ａ−２０２Ｄに係止可能な前面係止孔１２Ａ−１２Ｄを備えているので、背面部６０を正面側に向けて背面部６０を固定した状態で、開口部２０１からケーブルを容易に引き出すことができる。このとき、筐体１００を保持する必要がない。また、接続端子８０が正面側に位置するので、ケーブル６００と接続端子８０の接続作業が容易である。
【００４０】
コントローラ１では、背面係止孔６２Ａ−６２Ｄが係止可能な被係止部２０２Ａ−２０２Ｄに、前面係止孔１２Ａ−１２Ｄが係止可能である。被係止部２０２Ａ−２０２Ｄが共用されているため、構造が容易で、製造しやすい。
【００４１】
（実施の形態２）
実施の形態２に係る電気機器は、被覆板を備えるコントローラ１である。以下に、図８を参照して実施の形態２に係るコントローラ１の構成を説明する。実施の形態２では、実施の形態１と異なる構成について説明する。
【００４２】
図８は本発明の実施の形態２に係るコントローラの正面側斜視図である。図８に示すように、コントローラ１は、前面係止孔１２Ａ−１２Ｄを覆って隠すための、被覆板１４Ａ−１４Ｄを備えている。また、前面部１０には、被覆板１４Ａ−１４Ｄが嵌め込まれる凹部１３Ａ−１３Ｄが形成されている。
【００４３】
被覆板１４Ａ−１４Ｄは矩形状に形成されている。被覆板１４Ａ−１４Ｄの短手方向及び長手方向の長さは、前面係止孔１２Ａ−１２Ｄの短手方向及び長手方向の長さよりも長い。そして、被覆板１４Ａ−１４Ｄは、筐体１００と同じ材料で形成されている。筐体１００が樹脂で形成されている場合、被覆板１４Ａ−１４Ｄも同じ樹脂で形成される。
【００４４】
凹部１３Ａ−１３Ｄは、被覆板１４Ａ−１４Ｄと同じ形状、大きさの、Ｙ方向視矩形状に形成されている。凹部１３Ａ−１３Ｄの長手方向は、前面係止孔１２Ａ−１２Ｄの長手方向と同じＺ方向である。凹部１３Ａ−１３Ｄの中心には、前面係止孔１２Ａ−１２Ｄの孔の中心が位置している。そして、上述したように、凹部１３Ａ−１３Ｄには、被覆板１４Ａ−１４Ｄが嵌め込まれる。これにより、前面係止孔１２Ａ−１２Ｄの開口は被覆板１４Ａ−１４Ｄによって被覆される。
【００４５】
なお、被覆板１４Ａ−１４Ｄは、筐体１００が壁５００に本固定された状態で、凹部１３Ａ−１３Ｄに嵌め込まれる。実施の形態２に係るコントローラ１の壁５００への取り付け方法は、この被覆板１４Ａ−１４Ｄの嵌め込み作業以外、実施の形態１の方法と同じである。このため、実施の形態２に係るコントローラ１の壁５００への取り付け方法の説明を省略する。
【００４６】
以上のように、実施の形態２に係るコントローラ１は、前面係止孔１２Ａ−１２Ｄの開口を被覆する被覆板１４Ａ−１４Ｄを備えている。被覆板１４Ａ−１４Ｄによって前面係止孔１２Ａ−１２Ｄが隠されるため、コントローラ１の意匠性が高まる。
【００４７】
また、被覆板１４Ａ−１４Ｄは、筐体１００と同じ材料で形成されている。このため、被覆板１４Ａ−１４Ｄが目立ちにくい。
なお、意匠性をより高めるため、筐体１００が塗装される場合、被覆板１４Ａ−１４Ｄにも筐体１００と同じ塗装を施すとよい。また、被覆板１４Ａ−１４Ｄは、筐体１００と異なる材料で形成されてもよい。この場合、被覆板１４Ａ−１４Ｄと筐体１００の色調を同一にすることにより、被覆板１４Ａ−１４Ｄを目立たなくすることができる。また、意匠性を向上させる別の方法として、被覆板１４Ａ−１４Ｄと筐体１００の色調を異ならせてもよい。この場合、被覆板１４Ａ−１４Ｄを目立たせることができる。
また、実施の形態２において、凹部１３Ａ−１３Ｄ及び被覆板１４Ａ−１４Ｄの形状は任意である。凹部１３Ａ−１３Ｄ及び被覆板１４Ａ−１４Ｄは、図８に示す以外の形状であってもよい。例えば、凹部１３Ａ−１３Ｄ及び被覆板１４Ａ−１４Ｄを、円形、楕円形、角丸四角形、長円形などのＹ方向視形状に形成して、外付け部品となる被覆板１４Ａ−１４Ｄを、角部をもたない形状にしてもよい。
【００４８】
（実施の形態３）
実施の形態３に係る電気機器は、筐体カバー１５０を備えるコントローラ１である。以下に、図９を参照して実施の形態３に係るコントローラ１の構成を説明する。実施の形態３では、実施の形態１及び２と異なる構成について説明する。
【００４９】
図９は筐体の変形例の正面側斜視図である。図９に示すように、コントローラ１には、−Ｙ側から筐体１００を覆う筐体カバー１５０を備えている。
【００５０】
筐体カバー１５０は、＋Ｙの面が開放された直方体状に形成されている。そして、筐体カバー１５０は、筐体１００を収容可能な形状、大きさに形成されている。
【００５１】
また、筐体カバー１５０には、筐体１００の開口部１１と同じ形状、大きさの開口部１５１が形成されている。開口部１５１は、筐体カバー１５０に筐体１００が収容された場合に、筐体１００の開口部１１と一致する位置に形成される。
【００５２】
一方、筐体１００の背面部６０は、前面部１０よりもＸ方向及びＺ方向に大きく形成されている。背面部６０は、筐体１００に筐体カバー１５０が被せられた場合に、筐体カバー１５０の−Ｙ側端を支持する。
【００５３】
なお、筐体カバー１５０は、筐体１００が壁５００に本固定された状態で、筐体１００に被せられる。実施の形態３に係るコントローラ１の壁５００への取り付け方法は、筐体カバー１５０の取り付け以外、実施の形態１の方法と同じである。このため、実施の形態３では、コントローラ１の壁５００への取り付け方法の説明を省略する。
【００５４】
以上のように、実施の形態３に係るコントローラ１は、筐体カバー１５０によって筐体１００が−Ｙ側から覆われているので、意匠性が高い。
【００５５】
以上、本発明の実施の形態を説明したが、本発明は上記の実施の形態に限定されるものではない。例えば、実施の形態１−３では、コントローラ１が、前面係止孔１２Ａ−１２Ｄ、背面係止孔６２Ａ−６２Ｄ、被係止部２０２Ａ−２０２Ｄをそれぞれ４つ備えている。また、前面係止孔１２Ａ−１２Ｄ、背面係止孔６２Ａ−６２Ｄは、長手方向がＺ方向に向いた矩形状である。しかし、本発明はこれに限定されない。前面係止孔１２Ａ−１２Ｄ、背面係止孔６２Ａ−６２Ｄ、被係止部２０２Ａ−２０２Ｄの数及び形状は任意である。
【００５６】
図１０は筐体の変形例の正面側斜視図である。図１１は筐体の変形例の背面側斜視図である。図１２は取り付け部材の変形例の正面側斜視図である。図１０に示すように、前面部１０の−Ｚ端近傍に、前面係止孔１２Ａ−１２Ｄと同じ形状及び大きさの前面係止孔１２Ｈ、１２Ｇが形成されている。また、前面係止孔１２Ｈ、１２Ｇの＋Ｚ側の、前面部１０の領域には、長手方向がＸ方向へ向いた矩形状の前面係止孔１２Ｅ、１２Ｆが形成されている。
【００５７】
一方、背面部６０には、図１１に示すように、背面係止孔６２Ａ−６２Ｄに加えて、前面係止孔１２Ｅ、１２Ｆと同じ形状及び大きさの背面係止孔６２Ｅ、６２Ｆが＋Ｚ端近傍に形成されている。そして、取り付け部材２００には、図１２に示すように、被係止部２０２Ａ−２０２Ｄに加えて、前面係止孔１２Ｅ、１２Ｆ及び、背面係止孔６２Ｅ、６２Ｆに挿入可能かつ、係止させることが可能なフック状の被係止部２０２Ｅ、２０２Ｆが＋Ｚ端近傍に形成されている。
【００５８】
図１０−図１２に示す形態では、仮固定工程で、前面係止孔１２Ｈ、１２Ｇ、１２Ｅ、１２Ｆを被係止部２０２Ｂ、２０２Ｄ、２０２Ｅ、２０２Ｆに係止させる。そして、本固定工程で、背面係止孔６２Ａ−６２Ｆを被係止部２０２Ａ−２０２Ｆに係止させる。
【００５９】
図１０−図１２に示す形態のように、本発明では、背面係止孔６２Ａ−６２Ｆは全体で６つ、前面係止孔１２Ａ−１２Ｈは全体で４つ形成されてもよい。背面係止孔６２Ｅ、６２Ｆ、前面係止孔１２Ｅ、１２Ｆは、長手方向がＸ方向に向いた矩形状の孔であってもよい。また、被係止部２０２Ａ−２０２Ｆは全体で６つ形成されてもよい。そして、被係止部２０２Ａ−２０２Ｆのうち、被係止部２０２Ａと２０２Ｃとが仮固定工程、本固定工程で共用されていなくてもよい。
【００６０】
また、実施の形態１−３では、前面係止孔１２Ａ−１２Ｄ、又は背面係止孔６２Ａ−６２Ｄに被係止部２０２Ａ−２０２Ｄが係止している。しかし、本発明はこれに限定されない。本発明では、前面部１０、背面部６０が取り付け部材２００に係わりあって止まる構成を有していればよい。このため、例えば、前面部１０がフック状、突起状の前面係止部を有し、背面部６０が凹状、貫通孔状の被係止部を有していてもよい。
【００６１】
実施の形態１−３では、取り付け部材２００に開口部２０１が形成されている。しかし、本発明はこれに限定されない。本発明では、取り付け部材２００が、設置対象物に設けられたケーブル引き出し部の全部又は一部を覆わない状態で、設置対象物に固定されていればよい。ここで、実施の形態１−３では、貫通孔５０１の開口がケーブル引き出し部である。従って、取り付け部材２００は必ずしも開口部２０１を有していなくてもよい。
【００６２】
図１３は取り付け部材の変形例と壁の変形例の位置関係を示す斜視図である。図１３に示すように、取り付け部材２００が壁５００の貫通孔５０１の一部だけを覆い、貫通孔５０１のその他の部分を覆わないように壁５００に固定される場合、取り付け部材２００は開口部２０１を有していなくてもよい。
【００６３】
上述したように、取り付け部材２００がケーブル引き出し部の全部又は一部を覆わなければよいので、図１３に示すように、貫通孔５０１が充填部材５０２で塞がれていてもよい。この場合、充填部材５０２で塞がれた貫通孔５０１がケーブル引き出し部である。
【００６４】
上記の実施の形態１−３では、空気調和機を操作するためのコントローラである。しかし、コントローラの操作対象は、本発明では任意である。例えば、本発明では、電気機器は、他の電気機器とケーブルで接続される電気機器に適用できる。電気機器は、例えば、送信機と通信ケーブルで接続される受信機、給湯器であってもよい。
【００６５】
なお、本発明では、ケーブルは保護被覆された電線を意味する。電力ケーブル、通信ケーブルを含む。従って、ケーブルは、電力ケーブルだけであってもよいし、通信ケーブルだけであってもよい。また、本発明に係る電気機器は、設置対象物に固定される電気機器である。設置対象物は、壁５００のほか、建築物の柱、天井等であってもよい。
【００６６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００６７】
１  コントローラ、１０  前面部、１１  開口部、１２Ａ−１２Ｈ  前面係止孔、１３Ａ−１３Ｄ  凹部、１４Ａ−１４Ｄ  被覆板、２０、３０  側面部、４０  上面部、５０  底面部、６０  背面部、６１  凹部、６２Ａ−６２Ｆ  背面係止孔、７０  液晶ディスプレイ、８０  接続端子、１００  筐体、１５０  カバー、１５１  開口部、２００  取り付け部材、２０１  開口部、２０２Ａ−２０２Ｆ  被係止部、２０３Ａ−２０３Ｅ  ネジ孔、５００  壁、５０１  貫通孔、５０２  充填部材、６００  ケーブル、Ｒ  矩形、Ｌ１−Ｌ４  距離、Ｐ，Ｑ  矢印。
【図１】
0006727337.tif 000002
【図２】
0006727337.tif 000003
【図３】
0006727337.tif 000004
【図４】
0006727337.tif 000005
【図５】
0006727337.tif 000006
【図６】
0006727337.tif 000007
【図７】
0006727337.tif 000008
【図８】
0006727337.tif 000009
【図９】
0006727337.tif 000010
【図１０】
0006727337.tif 000011
【図１１】
0006727337.tif 000012
【図１２】
0006727337.tif 000013
【図１３】
0006727337.tif 000014